【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
表示面（１３）に画像が表示される表示ユニット（１０）の前記表示面と、前記表示ユニットの前記表示面側に積層される光透過性のカバーパネル（２０）と、を光学接着材料（１４）で接着して、パネル結合表示ユニット（３０）とするパネル接着工程（Ｓ１）と、
前記表示ユニットを前記表示ユニットの裏面側で保持する保持フレーム（４０）と、前記表示ユニットの側面を覆うための枠状の意匠フレーム（５０）とを結合して筐体ユニット（７０）とする筐体形成工程（Ｓ２）と、
前記カバーパネルと前記意匠フレームとの間に設けた接着材料（８１）により、前記意匠フレームを前記カバーパネルに接着すると共に、必要とされる接着面積が確保されるように、前記表示ユニット、あるいは前記保持フレームに液状の接着剤（８２）を塗布して、前記保持フレームを前記表示ユニットに接着し、且つ、前記保持フレームにおいて前記接着剤の外周領域に対応するように予め設けた複数の貫通孔（４４）に、前記表示ユニットと前記保持フレームとによって広げられた前記接着剤の一部を入り込ませるユニット一体化工程（Ｓ３）と、を備える表示装置の製造方法。
【請求項２】
前記ユニット一体化工程において、前記パネル結合表示ユニットに対して、前記筐体ユニットを上側に配置する請求項１に記載の表示装置の製造方法。
【請求項３】
前記ユニット一体化工程において、前記意匠フレームを前記カバーパネルに接着する際に、厚み方向の両者間の隙間寸法を規制する冶具（１）を用いる請求項１または請求項２に記載の表示装置の製造方法。
【請求項４】
前記貫通孔の外側から前記接着剤を硬化させる硬化処理を行う請求項１〜請求項３のいずれか１つに記載の表示装置の製造方法。
【請求項５】
前記ユニット一体化工程において、前記パネル結合表示ユニットに対して、前記筐体ユニットを下側に配置し、前記意匠フレームに前記接着材料を設け、前記保持フレームに前記接着剤を設け、前記筐体ユニットの下側から、複数の前記貫通孔の一部を前記保持フレームの仮保持用の孔として流用する受け冶具（２）を用いる請求項１に記載の表示装置の製造方法。
【請求項６】
表示面（１３）に画像が表示される表示ユニット（１０）の前記表示面と、前記表示ユニットの前記表示面側に積層される光透過性のカバーパネル（２０）と、を光学接着材料（１４）で接着して、パネル結合表示ユニット（３０）とするパネル接着工程（Ｓ１）と、
前記表示ユニットを前記表示ユニットの裏面側で保持する保持フレーム（４０）と、前記表示ユニットの側面を覆うための枠状の意匠フレーム（５０）とを結合して筐体ユニット（７０）とする筐体形成工程（Ｓ２）と、
前記カバーパネルと前記意匠フレームとの間に設けた接着材料（８１）により、前記意匠フレームを前記カバーパネルに接着すると共に、前記表示ユニットと前記保持フレームとの間に設けた液状の接着剤（８２）により、前記保持フレームを前記表示ユニットに接着し、且つ、前記保持フレームにおいて前記接着剤の外周領域に対応するように予め設けた複数の貫通孔（４４）に、前記接着剤の一部を入り込ませるユニット一体化工程（Ｓ３）と、を備え、
前記ユニット一体化工程において、前記パネル結合表示ユニットに対して、前記筐体ユニットを下側に配置し、前記意匠フレームに前記接着材料を設け、前記保持フレームに前記接着剤を設け、前記筐体ユニットの下側から、複数の前記貫通孔の一部を前記保持フレームの仮保持用の孔として流用する受け冶具（２）を用いる表示装置の製造方法。
【請求項７】
前記ユニット一体化工程において、前記意匠フレームを前記カバーパネルに接着する際に、厚み方向の両者間の隙間寸法を規制する冶具（１）を用いる請求項６に記載の表示装置の製造方法。
【請求項８】
前記貫通孔の外側から前記接着剤を硬化させる硬化処理を行う請求項６または請求項７に記載の表示装置の製造方法。
【手続補正２】
【補正対象書類名】明細書
【補正対象項目名】発明の名称
【補正方法】変更
【補正の内容】
【発明の名称】表示装置の製造方法
【手続補正３】
【補正対象書類名】明細書
【補正対象項目名】０００１
【補正方法】変更
【補正の内容】
【０００１】
表示装置の製造方法に関する。
【手続補正４】
【補正対象書類名】明細書
【補正対象項目名】０００７
【補正方法】変更
【補正の内容】
【０００７】
本開示は、この事情に基づいて成されたものであり、その目的とするところは、表示ユニットと保持フレームとを接着するにあたって、容易に接着状態を管理できる表示装置の製造方法を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
第１の発明では、表示装置の製造方法において、
表示面（１３）に画像が表示される表示ユニット（１０）の表示面と、表示ユニットの表示面側に積層される光透過性のカバーパネル（２０）と、を光学接着材料（１４）で接着して、パネル結合表示ユニット（３０）とするパネル接着工程（Ｓ１）と、
表示ユニットを表示ユニットの裏面側で保持する保持フレーム（４０）と、表示ユニットの側面を覆うための枠状の意匠フレーム（５０）とを結合して筐体ユニット（７０）とする筐体形成工程（Ｓ２）と、
カバーパネルと意匠フレームとの間に設けた接着材料（８１）により、意匠フレームをカバーパネルに接着すると共に、必要とされる接着面積が確保されるように、表示ユニット、あるいは保持フレームに液状の接着剤（８２）を塗布して、保持フレームを表示ユニットに接着し、且つ、保持フレームにおいて接着剤の外周領域に対応するように予め設けた複数の貫通孔（４４）に、表示ユニットと保持フレームとによって広げられた接着剤の一部を入り込ませるユニット一体化工程（Ｓ３）と、を備えることを特徴としている。
【手続補正１２】
【補正対象書類名】明細書
【補正対象項目名】００１７
【補正方法】変更
【補正の内容】
【００１７】
第１の発明によれば、パネル接着工程（Ｓ１）にて、パネル結合表示ユニット（３０）を生成することで、表示装置が全部組み立てられた後でなく、パネル結合表示ユニット（３０）の状態で、表示ユニット（１０）とカバーパネル（２０）とが、ムラなく、かつ、異物の混入なく接着できているかを確認できる。したがって、歩留まり悪化を抑制できる。
【手続補正１３】
【補正対象書類名】明細書
【補正対象項目名】００１９
【補正方法】変更
【補正の内容】
【００１９】
更に、カバーパネル（２０）と意匠フレーム（５０）とが接着される部位を第１接着部、表示ユニット（１０）と保持フレーム（４０）とが接着される部位を第２接着部としたとき、第１接着部、および第２接着部において、第２接着部に対して、第１接着部での隙間寸法を優先的に規制して接着する場合、第２接着部での隙間寸法は、各部材の寸法公差範囲内でばらつき、成り行きの寸法となってしまう。
【手続補正１４】
【補正対象書類名】明細書
【補正対象項目名】００２０
【補正方法】変更
【補正の内容】
【００２０】
これに対して、ユニット一体化工程（Ｓ３）では、保持フレーム（４０）において接着剤（８２）の外周領域に対応するように予め設けた複数の貫通孔（４４）に、表示ユニットと保持フレームとによって広げられた接着剤（８２）の一部を入り込ませるようにしている。これにより、貫通孔（４４）を介した接着剤（８２）の広がり状態の目視確認が可能となる。
また、第２の発明のように、表示装置の製造方法において、
表示面（１３）に画像が表示される表示ユニット（１０）の表示面と、表示ユニットの表示面側に積層される光透過性のカバーパネル（２０）と、を光学接着材料（１４）で接着して、パネル結合表示ユニット（３０）とするパネル接着工程（Ｓ１）と、
表示ユニットを表示ユニットの裏面側で保持する保持フレーム（４０）と、表示ユニットの側面を覆うための枠状の意匠フレーム（５０）とを結合して筐体ユニット（７０）とする筐体形成工程（Ｓ２）と、
カバーパネルと意匠フレームとの間に設けた接着材料（８１）により、意匠フレームをカバーパネルに接着すると共に、表示ユニットと保持フレームとの間に設けた液状の接着剤（８２）により、保持フレームを表示ユニットに接着し、且つ、保持フレームにおいて接着剤の外周領域に対応するように予め設けた複数の貫通孔（４４）に、接着剤の一部を入り込ませるユニット一体化工程（Ｓ３）と、を備え、
ユニット一体化工程において、パネル結合表示ユニットに対して、筐体ユニットを下側に配置し、意匠フレームに接着材料を設け、保持フレームに接着剤を設け、筐体ユニットの下側から、複数の貫通孔の一部を保持フレームの仮保持用の孔として流用する受け冶具（２）を用いるようにしてもよい（詳細後述）。